(57)【要約】エレベータかごの速度を検出して速度検出信号を出力する速度検出装置と、前記エレベータかごの位置を検出して位置検出信号を出力する位置検出装置と、前記エレベータかごの運転を制御するとともに、前記速度検出信号及び前記位置検出信号に基づいて速度情報、停止階情報、及びかご位置情報を出力する運転制御システムと、前記エレベータかご内又は乗場に設けられ、表示制御装置及び表示部を有し、前記表示制御装置により、前記速度情報、停止階情報、及びかご位置情報に基づいて、所定形状の周上に複数の階床名を連続して前記表示部に表示し、前記エレベータかごの現在位置の階床名と現在階以外の階床名とを区別して表示し、かつ前記エレベータかごの移動速度に比例して前記連続した複数の階床名を前記所定形状の周上に移動表示する表示装置とを備えた。従って、エレベータかご内での密閉感や、かごが到着するまでの待ち時間のイライラ感を緩和できる。
2003086934.tif 000002
【特許請求の範囲】
【請求項１】
エレベータかごの速度を検出して速度検出信号を出力する速度検出装置と、
前記エレベータかごの位置を検出して位置検出信号を出力する位置検出装置と、
前記エレベータかごの運転を制御するとともに、前記速度検出信号及び前記位置検出信号に基づいて速度情報、停止階情報、及びかご位置情報を出力する運転制御システムと、
前記エレベータかご内又は乗場に設けられ、表示制御装置及び表示部を有し、前記表示制御装置により、前記速度情報、停止階情報、及びかご位置情報に基づいて、所定形状の周上に複数の階床名を連続して前記表示部に表示し、前記エレベータかごの現在位置の階床名と現在階以外の階床名とを区別して表示し、かつ前記エレベータかごの移動速度に比例して前記連続した複数の階床名を前記所定形状の周上に移動表示する表示装置と
を備えたエレベータの表示システム。
【請求項２】
前記表示装置は、前記表示制御装置により、前記連続した複数の階床名のうち、前記エレベータかごの現在位置の階床名を１番大きく表示し、前記現在階以外の階床名を前記エレベータかごの現在位置からの距離に従って前記現在位置の階床名より徐々に小さく表示する
請求項１記載のエレベータの表示システム。
【請求項３】
前記表示装置は、前記表示制御装置により、前記エレベータかごが移動している方向の停止予定階を、前記エレベータかごの現在位置の階床名及び前記現在階以外の階床名と区別して表示する
請求項１又は２記載のエレベータの表示システム。
【請求項４】
エレベータかご内或いは乗り場に設けられた表示部に、前記エレベータかごの現在階を表示させるエレベータの表示方法において、
階床ごとに設けられた複数の階床名アイコンを階の順番で環状に配置することよって得られる環状アイコン列を前記表示部に表示させると共に、
現在階の階床名アイコンが前記表示部の所定位置に配置されるように、前記エレベータかごの移動に合わせて前記環状アイコン列を回転させる
ことを特徴とするエベータの表示方法。
【請求項５】
現在階の階床名アイコンを１番大きなサイズで前記表示部に表示させると共に、
現在階の階床名アイコンから離れる毎に、他の階床名アイコンを徐々に小さなサイズで前記表示部に表示させる
ことを特徴とする請求項４記載のエレベータの表示方法。
【請求項６】
現在階の階床名アイコンを特定色で前記表示部に表示させると共に、
前記エレベータかごの移動によって現在階が変わった場合に、特定色で表示するアイコンを新たな現在階の階床名アイコンに切り換える
ことを特徴とする請求項４又は請求項５記載のエレベータの表示方法。
【請求項７】
停止予定階の階床名アイコンを第２の特定色で前記表示部に表示させる
ことを徴とする請求項６記載のエレベータの表示方法。
【請求項８】
前記停止予定階に対応したコンテンツ画像を、前記環状アイコン列と並べて前記表示部に表示させる
ことを特徴とする請求項７記載のエレベータの表示方法。
【発明の詳細な説明】
技術分野
この発明は、かご位置に相当する階床名を表示する際に、エレベータかご内での密閉感や、かごが到着するまでの待ち時間のイライラ感を緩和できるような、見て楽しい階床表示を提供できるエレベータの表示システム及び表示方法に関するものである。
背景技術
従来のエレベータかご内や乗場に設けられた階床表示装置は、特開平０７−１５７２１８号公報などのように、ＬＥＤドットマトリクスやディスプレイなどにエレベータかごの現在位置に相当する階床名を１つずつ順次表示するものであった。
また、特開昭６１−２２６４７９号公報のように、エレベータかごの現在位置に相当する階床名をスクロール表示するものであった。
上述した従来のエレベータの表示システムでは、表示方法が単純で、エレベータの利用者に単にかご位置を伝えるためだけという問題点があった。
この発明は、前述した問題点を解決するためになされたもので、かご位置に相当する階床名を表示する際に、エレベータかご内での密閉感や、かごが到着するまでの待ち時間のイライラ感を緩和できるような、見て楽しい階床表示を提供することができるエレベータの表示システム及び表示方法を得ることを目的とする。
発明の開示
この発明に係るエレベータの表示システムは、エレベータかごの速度を検出して速度検出信号を出力する速度検出装置と、前記エレベータかごの位置を検出して位置検出信号を出力する位置検出装置と、前記エレベータかごの運転を制御するとともに、前記速度検出信号及び前記位置検出信号に基づいて速度情報、停止階情報、及びかご位置情報を出力する運転制御システムと、前記エレベータかご内又は乗場に設けられ、表示制御装置及び表示部を有し、前記表示制御装置により、前記速度情報、停止階情報、及びかご位置情報に基づいて、所定形状の周上に複数の階床名を連続して前記表示部に表示し、前記エレベータかごの現在位置の階床名と現在階以外の階床名とを区別して表示し、かつ前記エレベータかごの移動速度に比例して前記連続した複数の階床名を前記所定形状の周上に移動表示する表示装置とを備えたものである。
また、この発明に係るエレベータの表示システムは、前記表示装置が、前記表示制御装置により、前記連続した複数の階床名のうち、前記エレベータかごの現在位置の階床名を１番大きく表示し、前記現在階以外の階床名を前記エレベータかごの現在位置からの距離に従って前記現在位置の階床名より徐々に小さく表示するものである。
さらに、この発明に係るエレベータの表示システムは、前記表示装置が、前記表示制御装置により、前記エレベータかごが移動している方向の停止予定階を、前記エレベータかごの現在位置の階床名及び前記現在階以外の階床名と区別して表示するものである。
この発明に係るエレベータの表示方法は、エレベータかご内或いは乗り場に設けられた表示部に、前記エレベータかごの現在階を表示させるエレベータの表示方法において、階床ごとに設けられた複数の階床名アイコンを階の順番で環状に配置することよって得られる環状アイコン列を前記表示部に表示させると共に、現在階の階床名アイコンが前記表示部の所定位置に配置されるように、前記エレベータかごの移動に合わせて前記環状アイコン列を回転させるものである。
また、この発明に係るエレベータの表示方法は、現在階の階床名アイコンを１番大きなサイズで前記表示部に表示させると共に、現在階の階床名アイコンから離れる毎に、他の階床名アイコンを徐々に小さなサイズで前記表示部に表示させるものである。
また、この発明に係るエレベータの表示方法は、現在階の階床名アイコンを特定色で前記表示部に表示させると共に、前記エレベータかごの移動によって現在階が変わった場合に、特定色で表示するアイコンを新たな現在階の階床名アイコンに切り換えるものである。
また、この発明に係るエレベータの表示方法は、停止予定階の階床名アイコンを第２の特定色で前記表示部に表示させるものである。
さらに、この発明に係るエレベータの表示方法は、前記停止予定階に対応したコンテンツ画像を、前記環状アイコン列と並べて前記表示部に表示させるものである。
発明を実施するための最良の形態
以下、この発明の各実施例について図面に基づき説明する。
実施例１．
この発明の実施例１に係るエレベータの表示システムについて図面を参照しながら説明する。図１は、この発明の実施例１に係るエレベータの表示システムの全体構成を示す図である。また、図２は、この発明の実施例１に係るエレベータのかご内を示す図である。さらに、図３は、この発明の実施例１に係るエレベータの表示システムの表示部を示す図である。なお、各図中、同一符号は同一又は相当部分を示す。
図１において、１はエレベータかごであり、ロープ２の一端が連結されている。このロープ２の他端は、機械室等に設置された巻上機の回転軸（図示しない）に取り付けられた駆動シーブ３に掛けまわされた後、釣り合いおもり４に連結されている。
また、同図において、５はエレベータかご１の存在位置を検出するための位置検出装置であり、６は駆動シーブ３が取り付けられているモータ駆動軸に設けられた速度検出装置（例えば、パルスエンコーダ）である。
エレベータかご１は、前記巻上機の駆動によって、駆動シーブ３及びロープ２を介して、釣り合いおもり４と重量バランスをとりながら目的の階まで上下移動する。
その際、エレベータの運転制御システム７は、位置検出装置５からの位置検出信号（かご位置の階床信号）及び速度検出装置６からの速度検出信号を基に、速度情報、停止階情報、及びかご位置情報を表示装置１０に送信する。
表示装置１０には、表示制御装置１０ｂが内蔵されており、この表示制御装置１０ｂは、上記の速度情報、停止階情報、及びかご位置情報に基づき階床表示を行う。表示装置１０の表示部１０ａは、例えば液晶ディスプレイ、ＥＬディスプレイ、プラズマディスプレイ等のディスプレイを適用する。
表示装置１０の表示部１０ａには、図３に示すように、かごの現在階（４階）と、その他の利用可能な階床（１〜３、５〜７階）が階床名アイコンとして表示されている。現在階（４階）は、その他の階とは違う色で表示する、若しくは背景色を変えるなど一目でその他の階と区別がつくようにされている。本実施例１では、現在階の階床名を『赤色』（特定色）、その他の利用可能な階床名を『青色』（第２の特定色）表示する。
図４は、この発明の実施例１に係るエレベータの表示システムの表示部の表示位置を示す図である。
エレベータかご１の階床名は、図４に示すように、点Ｃを中心とした円周上（環状）に環状アイコン列として配置されている。円周上の階床名の配置は、階床数＋１の階床名が等間隔に並ぶように位置が決められる。ここで、階床数＋１としたのは、最上階と最下階の階床名が隣接することにより利用者が誤認識する恐れがないよう、最上階と最下階の階床名の間に空を設けるためである。空を設けるために、階床の総数に加算する数は０より大きい数であれば良く、階床数に合わせて変化させることにより階床名の表示位置を適切にすることができる。
エレベータかご１が移動すると、図３に示すように表示されている階床名（即ち、環状アイコン列）が回転して移動し、現在階は常に手前側、つまり時計の６時の位置（表示部の所定位置）に表示される。図５では、エレベータかご１が下に移動するにつれて、階床名が左周りで移動する。図４（ａ）では、かご位置は４階、図４（ｂ）では、かごは４階から３階へ移動中、図４（ｃ）では、かご位置は３階である。
かごが移動中の表示は、運転制御システム７から送信された各情報に基づいて表示装置１０に内蔵された表示制御装置１０ｂがコントロールする。この表示制御装置１０ｂは、低速走行時は、１区間（例えば、図４のＰ５とＰ６の間）を例えば２０分割し、決められた時間（例えば１００ｍｓ）毎に位置を移動させて階床名を表示する。また、高速走行中には、１区間を例えば５分割して、決められた時間毎に位置を１つ毎移動させて表示するように制御を行う。
つぎに、この実施例１に係るエレベータの表示システムの表示制御装置の詳細な動作について図面を参照しながら説明する。
図６は、この実施例１に係るエレベータの表示システムの表示制御装置の動作を示すフローチャートである。
ここで、Ｖ１はあらかじめ決められたエレベータかご１の基準速度、Ｓａ及びＳｂは階床名を移動させる時のステップ数であり、Ｓａはエレベータかご１が低速走行中、Ｓｂは高速走行中のステップ数である。
本フローチャートでは、一定時間毎に階床名の位置を移動させているため、ＳｂはＳａより小さい数字となる。ステップ数×一定時間が、階床名を１区間分移動させるために必要な時間であるため、かごが高速走行中は階床名が１区間分移動する時間を短くする必要があるため、ＳｂはＳａよりも小さく設定する。
また、Ｆ１は表示装置１０に表示しているかごの現在階床、Ｆ２は運転制御システム７から送信されたかご位置情報とし、かごが停止中はＦ１＝Ｆ２である。
まず、ステップ１０１において、表示制御装置１０ｂは、運転制御システム７から速度情報、かご位置情報、停止階情報を入力する。
次に、ステップ１０２において、上記速度情報から速度が０かどうかを判定し、速度が０（すなわちエレベータかご１が停止中）である場合は、表示をそのままに固定しておく。
次に、ステップ１０３において、速度が０でない（エレベータかご１が移動中）場合には、エレベータかご１の位置が下方向に変化したかどうかを判定する。かご位置が変化した場合には、以下に説明するように、かごの移動速度に合わせて階床表示を移動させる。
次に、ステップ１０４、１０５、１０７〜１１１において、かごの移動速度が基準速度Ｖ１より小さい場合は、低速走行中と判定し、角度θ／Ｓａずつ、一定時間間隔で反時計周りに各階床名を移動させる。
一方、ステップ１０４、１０６〜１１１において、かごの移動速度が基準速度Ｖ１以上の場合には、高速走行中と判定し、角度θ／Ｓｂずつ、一定時間間隔で反時計周りに各階床名を移動させる。
次に、ステップ１１２において、角度θだけ反時計周りに階床名を移動した後で、それまで現在階として赤色表示していた階床名（Ｆ１に相当する階床名）を青色表示に変更し、運行制御システム７からかご位置情報として得た階床名（Ｆ２に相当する階床名）を赤色表示に変更する。また、表示制御装置１０ｂ内の現在階情報を更新する（Ｆ１←Ｆ２）。
上記の処理（ステップ１０１〜１１２）をかごが停止する（速度が０になる）まで繰り返す。
また、かご１が上方向に変化したと判定した場合には、階床名の回転方向を時計周りとして上記と同様な処理（ステップ１０１〜１０３、１５１〜１５９、１１２）を繰り返す。
本実施例１では、前述のように階床名を移動させる角度を変化させることにより、かごの速度に比例して階床名（環状アイコン列）を回転させることが出来る。
図６のフローチャートでは、かごの移動速度を２段階で区別している（基準速度Ｖ１より小さい、若しくはＶ１以上）が、速度の判定を基準速度Ｖ１と基準速度Ｖ２の２ステップとする、すなわち速度を３段階で区別するなど、速度区分を増やしそれぞれに対応した階床名表示ステップ数を設定することにより、かご１の実移動速度により対応した回転速度を得ることが可能である。
また、前述の説明においては、かごの移動速度に合わせて階床名の移動角度を変化させたが、移動角度を一定とし表示を移動させる時間間隔を変化させることにしても、同様な効果が得られる。
従来のエレベータの表示システムでは、現在階のみを７セグメントＬＥＤなどで表示するものや、利用可能な階床名のうち現在階部分のランプ等を点灯させるものが多く、表示内容や動作が単純であった。本実施例１のエレベータの表示システムでは、現在階とその他の階床名の色を変えて表示し、常に現在階を手前（６時の位置）に表示するため、利用者にとって分かりやすい表示が可能である。また、速度に合わせて階床名の移動速度を変化させることが可能であるため、動きがあり、エレベータの利用者が見ていて退屈しないような表示ができる。そのため、目的階に到着するまでのイライラ感の低減にも効果があると考えられる。
また、前述の説明においては、現在階の階床名を赤色、その他の利用可能な階床名を青色表示することとしたが、階床名の周囲に丸などの枠を表示しその枠の色や形状を変化させたり、階床名や周囲枠の大きさを変化させることによっても現在階の識別が可能である。
さらに、本実施例１では、各階床名を円周上に配置したが、真円だけでなく楕円の円周上に配置しても同様な効果が得られる。さらに、多角形、四角形、三角形や、ハート形、馬蹄形など、その周上に各階床名を配置して同様な効果が得られる。なお、乗場に設けられた表示装置にも適用できる。また、これらの配置は、いずれも「環状に配置」に該当する。
実施例２．
この実施例２では、図７に示す通り、６時の位置に、現在階の階床名（現在階の階床名アイコン）を一番大きく表示し、その他の利用可能な階床名（他の階床名アイコン）を現在階に近い方から順に小さくなるように表示するものである。
この発明の実施例２に係るエレベータの表示システムについて図面を参照しながら説明する。図７は、この発明の実施例２に係るエレベータの表示システムの表示部を示す図である。また、図８は、この発明の実施例２に係るエレベータの表示システムの表示部の表示位置を示す図である。図９は、この発明の実施例２に係るエレベータの表示システムの表示部の位置に対応した表示倍率を示す図である。さらに、図１０は、この発明の実施例２に係るエレベータの表示システムの表示部の階床名が左周りで移動する様子を示す図である。なお、この実施例２に係るエレベータの表示システムの構成は、上記実施例１と同様である。
図８に示すように、表示部１０ａの中で、階床名の表示位置が予め点Ｐ１〜Ｐ１６として決められている。その中で現在階の階床名の表示位置を本例ではＰ９とする。
また、各点Ｐ１〜Ｐ１６に対応した表示の大きさを、図９に示すように、現在階の階床名の表示位置Ｐ９で１００％とし、その隣の表示位置Ｐ８は８５％とし、現在階の階床名の表示位置Ｐ９から遠ざかるにつれて小さくなるように設定しておく。表示サイズの設定値は、表示装置１０内の表示制御装置１０ｂに内蔵されたメモリに記憶させておく。
図１０に示すように、かご１が移動するにつれ、各階床名は表示の大きさを変えつつ回転する。表示されている階床名が回転して移動し、現在階の階床名は常に手前側に大きく表示される。
図１０ではエレベータかご１が下に移動するにつれて、階床名が左周りで移動する。図１０（ａ）では、かご１の位置は５階、（ｂ）では、かご１は５階から４階へ移動中、（ｃ）では、かご１の位置は４階である。
エレベータかご１が移動中の表示は、運転制御システム７から送信された各情報に基づいて、表示装置１０に内蔵された表示制御装置１０ｂがコントロールする。
つぎに、この実施例２に係るエレベータの表示システムの表示制御装置の詳細な動作について図面を参照しながら説明する。
図１１は、この実施例２に係るエレベータの表示システムの表示制御装置の動作を示すフローチャートである。
表示制御装置１０ｂが行う制御は、図１１に示すフローチャートに沿って実行される。上記実施例１との違いは、各階床名を同一サイズのまま移動させるのではなく、隣接する表示位置に設定された表示サイズ（Ｘ（Ｐｉ＋１）又はＸ（Ｐｉ−１））と、移動前の表示サイズ（Ｘ（Ｐｉ））の差をステップ数（Ｓａ又はＳｂ）で割った分ずつ変化させながら移動させる点である。
図７、図８においては、階床名を点Ｃを中心とする円周上に配置したが、上記の実施例１と同様に、楕円上に配置してもよい。また、現在階の階床名とその他の利用可能な階床名の識別は、階床名の表示色を異なる色とするだけでなく、階床名の周囲に枠等を表示しその枠の色や形状を変化させてもよい。
本実施例２のエレベータの表示システムでは、現在階の階床名とその他の階床名の大きさを段階的に変えて表示するため、実施例１よりも動きのある表示が可能である。実施例１では、現在階の階床名とその他の階床名の表示サイズが同じであったため、階床数が多い場合には現在階がわかりにくくなるが、本実施例２では、現在階の階床名以外は小さく表示するため階床数が多い場合でも現在階を分かりやすく表示できる。また、建物の階床間距離に比例した表示サイズを予め設定することにより、現在階から各階床までの距離を表示サイズに反映させることができる。なお、乗場に設けられた表示装置にも適用できる。
実施例３．
この発明の実施例３に係るエレベータの表示システムについて図面を参照しながら説明する。図１２は、この発明の実施例３に係るエレベータの表示システムの表示部の階床名が左周りで移動する様子を示す図である。
上記の実施例１及び２では、現在階の階床名とその他の利用可能な階床名を表示色等を変えることにより識別可能なように表示していたが、本実施例３では現在階の階床名と、エレベーターかごが停止を予定している階の階床名と、その他の階の階床名とを区別して表示することを特徴とする。
例えば、現在階の階床名を赤色、かごが停止予定である階床をオレンジ色、その他の階床を青色で表示するものとする。図１２（ａ）に示すように、４階を赤色、１階をオレンジ色、その他の階床を青色で表示している。
表示装置１０の表示制御装置１０ｂは、運転制御システム７から送信されてきた、速度情報、かご位置情報、及び停止階情報に碁づき、表示色を制御する。
停止予定の階床名を現在階及びその他の階と区別して表示することにより、かご内の利用者は目的階まであと何回、エレベータかご１が停止するか事前に知ることができ、目的階以外で誤ってエレベータかご１から降りてしまうことを防止することが可能である。また、乗場に設けた表示装置では、エレベータかご１が到着するまでの時間をさらに精度よく予測することができるため、利用者のイライラ感の軽減が期待できる。なお、乗場に設けられた表示装置にも適用できる。
なお、上記各実施例では、環状に配置された各階の階床名（環状アイコン列）のみを表示部に表示させているが、この表示に加えて、停止予定階に対応したコンテツ画像を表示部に表示させてもよい。各階の階床名（環状アイコン列）とコンテンツ画像とを並べて表示部に表示させることにより、停止予定階の情報（イベント情報、セール情報等）を利用者は事前に入手することができ、利用者の利便性が向上する。また、利用者が見ていて退屈しないような表示が実現されるので、目的階に到着するまでのイライラ感の低減に効果がある。
産業上の利用の可能性
この発明に係るエレベータの表示システムは、以上説明したとおり、エレベータかごの速度を検出して速度検出信号を出力する速度検出装置と、前記エレベータかごの位置を検出して位置検出信号を出力する位置検出装置と、前記エレベータかごの運転を制御するとともに、前記速度検出信号及び前記位置検出信号に基づいて速度情報、停止階情報、及びかご位置情報を出力する運転制御システムと、前記エレベータかご内又は乗場に設けられ、表示制御装置及び表示部を有し、前記表示制御装置により、前記速度情報、停止階情報、及びかご位置情報に基づいて、所定形状の周上に複数の階床名を連続して前記表示部に表示し、前記エレベータかごの現在位置の階床名と現在階以外の階床名とを区別して表示し、かつ前記エレベータかごの移動速度に比例して前記連続した複数の階床名を前記所定形状の周上に移動表示する表示装置とを備えたので、エレベータかご内での密閉感や、かごが到着するまでの待ち時間のイライラ感を緩和できるという効果を奏する。
また、この発明に係るエレベータの表示システムは、以上説明したとおり、前記表示装置が、前記表示制御装置により、前記連続した複数の階床名のうち、前記エレベータかごの現在位置の階床名を１番大きく表示し、前記現在階以外の階床名を前記エレベータかごの現在位置からの距離に従って前記現在位置の階床名より徐々に小さく表示するので、エレベータかご内での密閉感や、かごが到着するまでの待ち時間のイライラ感を緩和できるという効果を奏する。
さらに、この発明に係るエレベータの表示システムは、以上説明したとおり、前記表示装置が、前記表示制御装置により、前記エレベータかごが移動している方向の停止予定階を、前記エレベータかごの現在位置の階床名及び前記現在階以外の階床名と区別して表示するので、エレベータかご内での密閉感や、かごが到着するまでの待ち時間のイライラ感を緩和できるという効果を奏する。
この発明に係るエレベータの表示方法は、以上説明したとおり、エレベータかご内或いは乗り場に設けられた表示部に、前記エレベータかごの現在階を表示させるエレベータの表示方法において、階床ごとに設けられた複数の階床名アイコンを階の順番で環状に配置することよって得られる環状アイコン列を前記表示部に表示させると共に、現在階の階床名アイコンが前記表示部の所定位置に配置されるように、前記エレベータかごの移動に合わせて前記環状アイコン列を回転させるので、エレベータかご内での密閉感や、かごが到着するまでの待ち時間のイライラ感を緩和できるという効果を奏する。
また、この発明に係るエレベータの表示方法は、以上説明したとおり、現在階の階床名アイコンを１番大きなサイズで前記表示部に表示させると共に、現在階の階床名アイコンから離れる毎に、他の階床名アイコンを徐々に小さなサイズで前記表示部に表示させるので、エレベータかご内での密閉感や、かごが到着するまでの待ち時間のイライラ感を緩和できるという効果を奏する。
また、この発明に係るエレベータの表示方法は、以上説明したとおり、現在階の階床名アイコンを特定色で前記表示部に表示させると共に、前記エレベータかごの移動によって現在階が変わった場合に、特定色で表示するアイコンを新たな現在階の階床名アイコンに切り換えるので、エレベータかご内での密閉感や、かごが到着するまでの待ち時間のイライラ感を緩和できるという効果を奏する。
また、この発明に係るエレベータの表示方法は、以上説明したとおり、停止予定階の階床名アイコンを第２の特定色で前記表示部に表示させるので、エレベータかご内での密閉感や、かごが到着するまでの待ち時間のイライラ感を緩和できるという効果を奏する。
さらに、この発明に係るエレベータの表示方法は、以上説明したとおり、前記停止予定階に対応したコンテンツ画像を、前記環状アイコン列と並べて前記表示部に表示させるので、エレベータかご内での密閉感や、かごが到着するまでの待ち時間のイライラ感を緩和できるという効果を奏する。
【図面の簡単な説明】
図１はこの発明の実施例１に係るエレベータの表示システムの全体構成を示す図、
図２はこの発明の実施例１に係るエレベータのかご内を示す図、
図３はこの発明の実施例１に係るエレベータの表示システムの表示装置を示す図、
図４はこの発明の実施例１に係るエレベータの表示システムの表示部の表示位置を示す図、
図５はこの発明の実施例１に係るエレベータの表示システムの表示部で階床名が左周りで移動する様子を示す図、
図６はこの発明の実施例１に係るエレベータの表示システムの表示制御装置の動作を示すフローチャート、
図７はこの発明の実施例２に係るエレベータの表示システムの表示装置を示す図、
図８はこの発明の実施例２に係るエレベータの表示システムの表示部の表示位置を示す図、
図９はこの発明の実施例２に係るエレベータの表示システムの表示部の位置に対応した表示倍率を示す図、
図１０はこの発明の実施例２に係るエレベータの表示システムの表示部の階床名が左周りで移動する様子を示す図、
図１１はこの発明の実施例２に係るエレベータの表示システムの表示制御装置の動作を示すフローチャート、
図１２はこの発明の実施例３に係るエレベータの表示システムの表示部の階床名が左周りで移動する様子を示す図である。
【図１】
2003086934.tif 000003
【図２】
2003086934.tif 000004
【図３】
2003086934.tif 000005
【図４】
2003086934.tif 000006
【図５】
2003086934.tif 000007
【図６】
2003086934.tif 000008
【図７】
2003086934.tif 000009
【図８】
2003086934.tif 000010
【図９】
2003086934.tif 000011
【図１０】
2003086934.tif 000012
【図１１】
2003086934.tif 000013
【図１２】
2003086934.tif 000014
【国際調査報告】
2003086934.tif 000015
2003086934.tif 000016